(57)【特許請求の範囲】
【請求項１】
合成樹脂製の固形洗浄剤容器であり、容器上部に注出用口部を有し、かつ、容器下部側面に斜め方向に延びたリブ部を複数個有し、該リブ部により容器中への供給水に水流を生じせしめる固形洗浄剤容器。
【請求項２】
注出用口部から円錐状に広がる容器上部と、その下の円柱状の容器下部側面を有し、容器下部側面に斜め方向に延びるリブ部を複数個有する請求項１記載の固形洗浄剤容器。
【請求項３】
容器下部側面の円周５３５ｍｍあたり、幅５〜１５ｍｍ、長さ２０〜３０ｍｍのリブ部を３０〜４０個、等間隔で有する請求項１または２記載の固形洗浄剤容器。
【請求項４】
リブ部が容器底部面に対して、３０〜７０度の角度で形成されている請求項１ないし３のいずれか１項記載の固形洗浄剤容器。
【請求項５】
リブ部が容器下部側面の内壁面に対して１〜５ｍｍ凹んでいる、又は突出している請求項１ないし４のいずれか１項記載の固形洗浄剤容器。
【請求項６】
自動食器洗浄機に使用する請求項１ないし５のいずれか１項記載の固形洗浄剤容器。
【発明の詳細な説明】
【０００１】
【発明の属する技術分野】
本発明は、使用後に容器底部及び側面等に洗浄剤が残留しない固形洗浄剤用容器に関する。
【０００２】
【従来の技術】
従来、食器洗浄機、洗瓶機、コンテナー洗浄機では液体もしくは粉末状洗浄剤が使用されていた。しかし、例えば粉末洗浄剤の場合は、必要に応じて作業員が洗浄剤が納められた容器から、洗浄剤を取り出して洗浄剤供給装置に投入する方法がとられ、作業効率が悪い上に人体に対する危険性等の問題、さらには混合粉末間の溶解速度の相違により洗浄剤溶液組成が常に一定であるという訳ではないという欠点がある。また液体洗浄剤の場合は、組成の経時変化はないが、有効成分が粉末洗浄剤に比較して少ないため、高性能化の要求が強い現状に適していない。
【０００３】
高性能化の現状に応える一つの方法として、洗浄剤組成物の洗浄力を高めて洗浄効率を上げる方法がとられている。例えば米国特許第３１６６５１３号、第３５３５２８５号、第３５７９４５５号、第３７００５９９号及び第３８９９４３６号等明細書に記載されている様に、一般に飲食物による強固な汚れを除去するものとして水酸化アルカリ金属を、洗浄力を補助するものとしてリン酸塩、炭酸塩等を主成分とし、さらにこれに、塩素化イソシアヌール等の塩素含有化合物、消泡剤が加えられたものが使用されている。
【０００４】
この様な洗浄剤組成物を、例えば特公昭５９−４４８０号公報、特開平２−８４５００号公報に記載されるように、固形水和物洗浄剤としてプラスチック製の洗浄剤容器に注型、充填したカートリッジ式の固形洗浄剤が提案されている。この固形洗浄剤は容器ごと供給装置内に充填し、供給装置下部から湯を噴射して洗浄剤を溶解し、洗浄液を洗浄タンクに供給する方法により使用される。この方法によれば作業員がアルカリ性の高い洗浄剤に直接手を触れることがなく、危険性が排除され、またある程度の高性能化の要求に合わせることができる。しかしながら、固形洗浄剤は溶解性が悪く、容器の形状によっては、新たに洗浄剤を供給する初期段階において必要量の洗浄剤が短時間に溶解しきれずに濃度不足を生ずる問題や、洗浄成分の溶解のばらつきにより、期待したとおりの洗浄力を得られない問題、あるいは容器の底部や側面部等の内壁に未溶解の洗浄剤が残留してしまう等の問題がある。
【０００５】
【発明が解決しようとする課題】
本発明の目的は、洗浄剤成分の溶解に偏りがなく、使用後に容器底部及び側面等に洗浄剤が残留しない固形洗浄剤用容器に関する。
【０００６】
【課題を解決するための手段】
本発明者らは鋭意研究を重ねた結果、固形洗浄剤用の容器の側面にリブ部を設けると、容器中に噴射される供給水が蓄積されるとともに水流を生じ、洗浄剤の溶解に偏りがなく、使用後に容器底部及び側面に洗浄剤が残留しないことを見出し、本発明を完成させるに至った。
【０００７】
すなわち本発明は、合成樹脂製の固形洗浄剤容器であり、容器上部７に注出用口部１を有し、かつ、容器下部側面５に斜め方向に延びたリブ部３を複数個有し、該リブ部３により容器中への供給水に水流を生じせしめる固形洗浄剤容器である。
本発明の容器は、容器上部７、容器下部側面５及び容器底部６により構成され、洗浄剤の溶解に偏りがなく、使用後に容器底部６及び容器下部側面５に洗浄剤が残留しない。
【０００８】
また本発明は、注出用口部１から、円錐状に広がる容器上部７と、その下の円柱状の容器下部側面５からなり、容器下部側面５に斜め方向に延びるリブ部３を複数個有する前記固形洗浄剤容器を提供するものである。
また本発明は、容器下部側面５の円周５３５ｍｍあたり、幅５〜１５ｍｍ、長さ２０〜３０ｍｍのリブ部を３０〜４０個、の割合で等間隔で有する前記固形洗浄剤容器を提供するものである。
【０００９】
また本発明は、リブ部３が容器底部６に対して、３０〜７０度の角度で形成されている前記固形洗浄剤容器を提供するものである。
また本発明は、リブ部３が容器下部側面５の内壁面に対して１〜５ｍｍ凹んでいる、又は突出している前記固形洗浄剤容器を提供するものである。
また本発明は、自動食器洗浄機に使用する前記固形洗浄剤容器を提供するものである。
【００１０】
【発明の実施の形態】
本発明の固形洗浄剤用容器は合成樹脂容器であり、容器上部７に注出用口部１が設けられかつ内容物を充填するように所定の形状を有し、その容器下部側面５には斜め方向に延びるリブ部３が設けられている。このリブ部３により、固形洗浄剤使用時に容器中に噴射される供給水が蓄積されるとともに水流を生じることにより、洗浄剤成分の溶解に偏りがなく、使用後に容器底部６及び容器下部側面５に洗浄剤が残留しなくなる。
【００１１】
本発明の固形洗浄剤容器は、リブ部３が、容器下部側面５に、供給水が蓄積されるとともに水流を生じるように設けられていればよいが、好ましくは、注出用口部１から、円錐状に広がる容器上部７と、その下の円柱状の容器下部側面５を有し、容器下部側面５に斜め方向に延びるリブ部３を複数個有していればよい。
【００１２】
また、リブ部３は、容器下部側面５の円周５３５ｍｍあたり、幅５〜１５ｍｍ、好ましくは８〜１２ｍｍ、長さ２０〜３０ｍｍ、好ましくは２２〜２７ｍｍのリブ部を３０〜４０個、好ましくは３２〜３８個の割合で、等間隔で有するのが好ましい。
また、リブ部３は、斜め方向に延びているが、その傾きが、容器底部６の面に対して３０〜７０度、好ましくは４０〜６０度である。
【００１３】
また、リブ部３は容器下部側面５の内壁面に対して、凹んでいても、山状に突出していてもよいが、好ましくは、１〜５ｍｍ、より好ましくは２〜４ｍｍ凹んでいるか、山状に突出しているのがよい。リブの形状は限定されないが直方体状が好ましい。
【００１４】
容器上部７には、固形洗浄剤の注出用口部１が設けられ、着脱可能にキャップが螺着できるようにすることが好ましい。さらに容器は、内容物を充填するように所定の形状を有している。本発明の容器は、円形の注出用口部１と、容器底部６の中心とを結ぶ軸を中心とした回転対称体であることが好ましい。
また、本発明品の容器底部６には、棒状の取っ手４が設けられているのが好ましく、その取っ手４を食器洗浄機等の洗浄剤供給部に設置する際に利用できる。
【００１５】
本発明の固形洗浄剤容器は、自動食器洗浄機での使用に適しており、自動食器洗浄機による供給水が、容器内に蓄積されるとともに水流を生じ、洗浄剤成分が偏りなく溶解し、使用後に容器底部６や容器下部側面５等の壁面に、洗浄剤が残留することがない。
【００１６】
リブ部３は、容器下部側面５に設けられていればよいが、好ましくはリブ部３の下端が容器底部６に接し容器底部６から延びているか、容器底部６から０〜３ｍｍの位置から延びているのがよい。
また、本発明の容器に、容器の剛性を上げるためや、リブ部３を屈曲させ、折りたたみや押し潰しを容易にし、容器の減容を可能とするために、更にリブ部３を設けてもよい。また当然、洗剤の残留を防ぐための目的で、本発明でいう容器下部側面５以外に、リブ部３を設けてもかまわない。
【００１７】
本発明の固形洗浄剤容器は、柔軟な合成樹脂製であればよいが、容器の剛性、耐久性、耐熱性、減容性等の点から、高密度ポリエチレン、低密度ポリエチレン、ポリプロピレン製、又はそれらの一種又は二種以上からなることが好ましい。
本発明でいう組成比とは、高密度ポリエチレン、低密度ポリエチレン、ポリプロピレンの混合割合のことをいう。
【００１８】
また本発明の固形洗浄剤容器の容器の肉厚は、容器の剛性、耐久性、耐熱性、減容性の点から、０．５〜１．２ｍｍが好ましく、０．７〜１．０ｍｍがより好ましい。
【００１９】
本発明の容器は、例えばリブ部となる凹部または凸部を有する成形型を用いてブロー成形によって一体成形し製造することができる。
【００２０】
本発明の容器は、溶融型固形洗浄剤や、洗浄剤粉末に添加物等を加えて固形化した固形洗浄剤等、固形洗浄剤の容器として使用できる。溶融型固形洗浄剤の場合、水、アルカリ剤、金属イオン封鎖剤（キレート剤）等を含有した溶融型固形洗浄剤を、５０〜８０℃の高温の状態でも、外観等の変化、容器の破裂・破損、膨張等なく注入できる。
【００２１】
アルカリ剤の例としては、水酸化ナトリウム、水酸化カリウム、炭酸ナトリウム、炭酸水素ナトリウム、珪酸ナトリウム等が挙げられる。
【００２２】
金属イオン封鎖剤としては、トリポリリン酸等の縮合リン酸塩、エチレンジアミンテトラ酢酸（ＥＤＴＡ）、ヒドロキシエチルエチレンジアミントリ酢酸（ＨＥＤＴＡ）、ニトリロトリ酢酸（ＮＴＡ）、ジエチレントリアミンペンタ酢酸（ＤＴＰＡ）、さらにはポリアクリル酸ソーダ、スチレン−無水マレイン酸ソーダの共重合体、メチルビニルエーテル−無水マレイン酸の共重合体、アクリル酸−無水マレイン酸の共重合体等の高分子キレート剤が挙げられる。
【００２３】
その他、溶融型固形洗浄剤には、再汚染防止剤、塩素補足剤、漂白剤、無機塩類、各種界面活性剤等が配合されており、本発明の容器は、それら他の成分が配合されている場合でも問題無く使用できる。
【００２４】
再汚染防止剤としては例えば、ポリエチレングリコール、ポリビニルアルコール、ポリビニルピロリドン、カルボキシメチルセルロース等が挙げられる。
塩素補足剤としては例えば、硫酸アンモニウム、尿素、塩酸グアニジン、炭酸グアニジン、スルファミン酸グアニジン、二酸化チオ尿素、モノエタノールアミン、ジエタノールアミン、トリエタノールアミン等が挙げられる。
漂白剤としては、クロラミンＢ（Ｎ−クロロベンゼンスルホンアミドナトリウム）、ジクロラミンＢ（Ｎ，Ｎ’−ジクロロベンゼンスルホンアミド）、クロラミンＴ（Ｎ−クロロ−Ｐ−トルエンスルホンアミドナトリウム）、ジクロラミンＴ（Ｎ，Ｎ’−ジクロロ−Ｐ−トルエンスルホンアミド）等のクロロアミン化合物、塩素化イソシアヌール酸塩、次亜塩素酸塩、塩化リン酸三ナトリウム等が挙げられる。
無機塩類としては、硫酸ナトリウム、硫酸カリウム等が挙げられる。
界面活性剤としては特に限定されないが、低発泡性のものがよく、例えば、ポリオキシエチレンポリオキシプロピレンブロックコポリマー、エチレンジアミンのポリオキシエチレンポリオキシプロピレン縮合物、リン酸エステル、ポリオキシエチレンポリオキシプロピレンアルキルエーテル等が挙げられる。
【００２５】
【実施例】
実施例１
＜固形洗浄剤の調製＞
水１５重量部（１５ｋｇ）に界面活性剤（ＥＯ−ＰＯ縮合物）２重量部（２Ｋｇ）及びキレート剤（アクリル酸−無水マレイン酸の共重合体、分子量７万）５重量部（５Ｋｇ）を分散させた後、無水水酸化ナトリウム４５重量部（４５Ｋｇ）を配合し、攪拌しながら５５〜６５℃に維持し、硫酸ナトリウム８重量部（８Ｋｇ）、トリポリリン酸ナトリウム２５重量部（２５Ｋｇ）を順に加えて固形洗浄剤を調製した。
【００２６】
＜固形洗浄剤容器＞
下記の組成を有する樹脂を用い、ブロー成形により、図１〜８に示す下記の寸法を有する容器を製造した（本発明品）。
容器組成：  低密度ポリエチレン７０重量％、高密度ポリエチレン３０重量％
容器寸法：  容器下部側面（５）の円周５３５ｍｍ、容器底部（６）の直径１６５ｍｍ、注出用口部（１）の直径７５ｍｍ、高さ１７５ｍｍ
リブ部（３）：  リブの幅１０ｍｍ、リブの長さ２５ｍｍ、リブの角度５５度（底面との角度）、リブの側面部（５）の内壁面に対する凹み２ｍｍ、リブの数３７個
容器容量：  ２４００ｍｌ
【００２７】
＜洗浄試験＞
上記で得られた溶融型固形洗浄剤を、上記容器に４Ｋｇ充填し、自動食器洗浄機（サンヨー社製ＤＷ−Ｄ６１）で洗浄試験（３０℃、2.0ｌ/min.）を行ない、使用後の容器底部６及び容器下部側面５に洗浄剤が残留していないかどうかを目視で確認した。その結果、本発明品には洗浄剤の残留がなかった。
【００２８】
比較例１
リブを有しない以外は実施例１と同じ形状の容器を、実施例１と同じ同じ方法で製造した（比較品）。次にかかる比較品を用いて、実施例１と同じ洗浄試験を実施した。その結果、比較品には、容器底部６及び容器下部側面５に洗浄剤が残留していた。
【００２９】
【発明の効果】
本発明によれば、洗浄成分の溶解に偏りがなく、使用後に容器底部及び側面等に洗浄剤が残留しない固形洗浄剤用容器を提供することができる。
【図面の簡単な説明】
【図１】本発明の容器の一例の正面図である。
【図２】本発明の容器の一例の背面図である。
【図３】本発明の容器の一例の側面図である。
【図４】本発明の容器の一例の斜視図である。
【図５】本発明の容器の一例の上面図である。
【図６】本発明の容器の一例の上部斜視図である。
【図７】本発明の容器の一例の底面図である。
【図８】本発明の容器の一例の下部斜視図である。
【符号の説明】
１    注出用口部
２    蓋部
３    リブ部
４    取っ手
５    容器下部側面
６    容器底部
７    容器上部
【図１】
0004772969.tif 000002
【図２】
0004772969.tif 000003
【図３】
0004772969.tif 000004
【図４】
0004772969.tif 000005
【図５】
0004772969.tif 000006
【図６】
0004772969.tif 000007
【図７】
0004772969.tif 000008
【図８】
0004772969.tif 000009